(57)【要約】  【課題】  使用勝手が良好な膝用サポーターを提供する。  【解決手段】  膝裏側当て部１ａの両側に二股状にして上、下の締結部片１ｂ，１ｃを延設し、該上側の締結部片１ｂ，１ｂ同士と下側の締結部片１ｃ，１ｃ同士を互いに止着して用いるようにしたサポーター本体１と、前記締結部片１ｂ，１ｃで取り囲む、膝頭部に対応する開口を閉塞する膝頭用套装片２で構成する。そして、膝頭用套装片２を、表裏の布地２ａ，２ｂの互いに重なり合う周端部を、長手方向に沿って二つ折りにした伸縮性の有る布地で構成した帯状片２ｄで挟持させて互いに縫着した略菱形状と成すと共に、前記裏布地の長手方向に相対する両隅部には、前記締結部片の表面に剥離自在に止着する面ファスナー３の一方材を互いに平行させて設ける。【選択図】    図６
2011041738.tif 000002
【特許請求の範囲】
【請求項１】
膝裏側当て部の両側に二股状にして上、下の締結部片を延設し、該上側の締結部片同士と下側の締結部片同士を互いに止着して用いるようにしたサポーター本体と、前記締結部片で取り囲む、膝頭部に対応する開口を閉塞する膝頭用套装片から成り、膝頭用套装片を、表布地と該表布地より薄い裏布地の互いに重なり合う周端部を、長手方向に沿って二つ折りにした、伸縮性の有る布地で構成した帯状片で挟持させて互いに縫着した略菱形状と成すと共に、前記裏布地の長手方向に相対する両隅部には、前記締結部片の表面に剥離自在に止着する面ファスナーの一方材を互いに平行させて設けた、膝用サポーター。
【請求項２】
表裏布地間に、裏面に赤外線反射物質を点在させた保温シートを介在させた、請求項１記載の膝用サポーター。
【発明の詳細な説明】
【技術分野】
【０００１】
本発明は、膝に疾患のある際に用いる膝用サポーターに関するものである。
【背景技術】
【０００２】
膝裏側当て部の両側に二股状にして上、下の締結部片を延設したサポーター本体と、該サポーター本体の膝に対する巻装時に膝頭を被覆する膝頭套装片の一端を、前記サポーター本体の表面に止着して構成した構造のものがある（例えば、特許文献１）。
【先行技術文献】
【特許文献】
【０００３】
【特許文献１】特開平７−１９４７１６号公報
【発明の概要】
【発明が解決しようとする課題】
【０００４】
前記従来構造のものは、締結部片同士を互いに止着して本体を巻装し、その表面側に膝頭套装片を重ね合わせることにより装着できるから、装着操作上良好であるが、膝頭套装片が一端側を本体に止着した長方形状であるので、使用時に、面ファスナーによる止着手段で本体表面に止着した膝頭套装片は、膝頭の屈曲動作により本体より容易に剥離し、そのため必要以上に大きくすることから嵩ばり、また、膝頭套装片は本体に一体的にしてあるため、該套装片が不要な際には邪魔になり、使用勝手が良好とはいえないときがある。
【０００５】
本発明は、斯様な従来例の欠点に着目して、使用勝手上良好な膝用サポーターを提供することを目的として創案したものである。
【課題を解決するための手段】
【０００６】
膝裏側当て部の両側に二股状にして上、下の締結部片を延設し、該上側の締結部片同士と下側の締結部片同士を互いに止着して用いるようにしたサポーター本体と、前記締結部片で取り囲む、膝頭部に対応する開口を閉塞する膝頭用套装片から成り、膝頭用套装片を、表布地と該表布地より薄い裏布地の互いに重なり合う周端部を、長手方向に沿って二つ折りにした、伸縮性の有る布地で構成した帯状片で挟持させて互いに縫着した略菱形状と成すと共に、前記裏布地の長手方向に相対する両隅部には、前記締結部片の表面に剥離自在に止着する面ファスナーの一方材を互いに平行させて設けた構成を基本的手段とし、表裏布地間に、裏面に赤外線反射物質を点在させた保温シートを介在させた構成を付加することにより使用効果上優れた膝用サポーターを提供するものである。
【発明の効果】
【０００７】
本発明によれば、本体と膝頭用套装片を別体にして構成するものであるから、膝頭用套装片を不要とするときは、無用なものとして本体に付属することがないから、使用勝手の良好な膝用サポーターを提供できる。また、膝頭用套装片は、表裏の布地を伸縮性の有る布地で成る帯状片で、いわば縁取りしたものであるから、縁取り部が骨材となって本体側によく密着し、本来の効果である保温効果を高めることができ、なおまた、套装片両側の面ファスナーの一方材は互いに平行するものであるから、膝頭を挟むようにしてその両側の本体部分に套装片を止着でき、従って、套装片を安定した装着状態にすることのできる膝用サポーターを提供できる。
【図面の簡単な説明】
【０００８】
【図１】膝頭套装片の一部欠截正面図。
【図２】膝頭套装片の背面図。
【図３】図１の拡大縦断面図。
【図４】膝頭套装片の製造手順を示す説明図。
【図５】サポーター本体の正面図。
【図６】使用状態を示す説明図。
【実施例】
【０００９】
本発明に係る膝用サポーターは、互いに別体にしたサポーター本体１と膝頭套装片２を互いに組付けて用いるか、膝頭套装片２を省略してサポーター本体１のみを単独で用いるものである。
【００１０】
サポーター本体１は、中央に風通し用の窓口３を設けた膝裏側当て部１ａの両側に、二股状にして上、下の締結部片１ｂ，１ｂ、１ｃ，１ｃを延設し、対角方向に位置する一方の上側締結部片１ｂと、一方の下側締結部片１ｃのそれぞれには巻装片１ｄ，１ｅの基部を取付けて構成し、前記締結部片１ｂ，１ｃを含む膝裏側当て部１ａの表面の全域には、前記巻装片１ｄ，１ｅの先端部の裏面および前記上、下の締結部片１ｂ，１ｃの裏面に取付けた面ファスナー７の一方材７ａが止着する他方材７ｂを設けて構成したものである。
【００１１】
そして、窓口３の両側に並べて設けた膝屈曲弾性保持材４，４を膝の外側に配するようにして膝に巻き付け、上側の締結部片１ｂ，１ｂ同士と下側の締結部片１ｃ，１ｃ同士を互いに止着することにより、膝頭が該締結部片１ｂ，１ｃで形作る円形内に係合するような（一致するような）関係でサポーター本体１は装着され、この状態のサポーター本体１の締結部片１ｂ，１ｃで形作る円形を閉塞するように、すなわち、膝頭を套装するようにして本体１の表面に膝頭套装片２を重ね合わせて組付け、実施例の膝用サポーターの使用状態を得られる。
【００１２】
膝頭用套装片２は、表裏の、伸縮性の有る布地２ａ，２ｂと該布地２ａ，２ｂ（表布地２ａを保温効果の有る、起毛状の表面層を備えた比較的厚手のものとし、裏布地２ｂを肌に対しすべり易い比較的薄い生地で構成してある）間に介在させた保温シート２ｃの互いに重なり合う周端部を、長手方向に沿って二つ折りにした伸縮性の有る布地で構成した帯状片２ｄで挟持させて互いに縫着した、各隅部を丸くし、横側対角方向が縦側対角方向より長い略菱形状と成し、横側対角方向の両隅部に面ファスナー７の前記一方材７ａと同素材のファスナー片７´，７´を互いに平行させて設け、本体１の前記膝裏側当て部１ａ乃至締結部片１ｂ，１ｃに係離自在に止着できるようにしたものである。
【００１３】
なお、前記保温シート２ｃは、水玉模様状に印刷した赤外線反射物質９，…を裏面に備えたもので、この赤外線反射物質９の存在により膝頭は尚一層保温される。
【符号の説明】
【００１４】
１      サポーター本体
１ａ    膝裏側当て部
１ｂ    上側締結部片
１ｃ    下側締結部片
２      膝頭用套装片
２ａ    表布地
２ｂ    裏布地
７      面ファスナー
【図１】
2011041738.tif 000003
【図２】
2011041738.tif 000004
【図３】
2011041738.tif 000005
【図４】
2011041738.tif 000006
【図５】
2011041738.tif 000007
【図６】
2011041738.tif 000008